(57)【要約】  【課題】  伝票の画像内のかすれている部分の濃度を自動的に増加させることができる画像処理装置を提供する。  【解決手段】  受付けた画像に処理を行う複合機（画像処理装置）１において、受付けた画像が、表面側の記入内容を裏面側へ複写する複写シートによって複写された部分を有する画像であるか否かを判定する画像処理部１３と、複写シートによって複写された部分を有する画像に対する処理条件を記憶する管理部１４とを備え、受付けた画像が複写シートによって複写された部分を有する画像であると判定した場合、管理部１４に記憶されている処理条件に応じた処理を行う。【選択図】      図１
2006303645.tif 000002
【特許請求の範囲】
【請求項１】
受付けた画像に処理を行う画像処理装置において、
受付けた画像が、表面側に対する記入内容を裏面側へ複写する複写シートによって複写された部分を有する画像であるか否かを判定する判定手段と、
複写シートによって複写された部分を有する画像に対する処理条件を記憶する処理条件記憶部と
を備え、受付けた画像が複写シートによって複写された部分を有する画像であると判定手段が判定した場合、処理条件記憶部に記憶されている処理条件に応じた処理を行うように構成されていることを特徴とする画像処理装置。
【請求項２】
複写シートによって複写された部分を有する画像は伝票の画像であり、
伝票の画像の判定条件を記憶する判定条件記憶部を備え、
前記判定手段は、判定条件記憶部に記憶されている判定条件に基づいて、受付けた画像が伝票の画像であるか否かを判定するように構成してあることを特徴とする請求項１記載の画像処理装置。
【請求項３】
前記処理条件記憶部には、伝票の画像内の処理領域を指定する指定情報、及び、前記処理領域に対応する処理条件が記憶されており、
伝票の画像内の処理領域に、対応する処理条件に基づく処理を行うように構成してあることを特徴とする請求項２記載の画像処理装置。
【請求項４】
前記処理条件は、濃度調整処理の処理条件を含んでおり、
前記処理条件に応じた濃度調整処理を行うように構成してあることを特徴とする請求項１乃至３の何れかひとつに記載の画像処理装置。
【請求項５】
シートに画像を記録する画像記録手段を備え、
前記処理条件は、シートへの画像記録処理の処理条件を含んでおり、
前記処理条件に応じた画像記録処理を行うように構成してあることを特徴とする請求項１乃至３の何れかひとつに記載の画像処理装置。
【発明の詳細な説明】
【技術分野】
【０００１】
本発明は、受付けた画像に処理を行う画像処理装置に関する。
【背景技術】
【０００２】
シートに画像を形成する機能を有する複写機又は複合機などの画像処理装置においては、シートに形成する画像に対し、例えば文字領域には文字に適した画像処理を行い、図形領域には図形に適した画像処理を行い、中間調領域には中間調に適した画像処理を行えるものがある（例えば、特許文献１参照）。このような複写機又は複合機においては、シートに形成する画像の内容に適した画像処理を行うことができる。
【０００３】
また、伝票又は申込書などには、表面側の記入内容を裏面側へ複写するカーボン紙又は感圧紙などの複写シートが用いられている。このような伝票又は申込書を複写機又は複合機でコピーする場合、複写シートによって複写された部分を有する複写画像をシートに記録することになる。
【特許文献１】実開昭６１−１２６６６８号公報
【発明の開示】
【発明が解決しようとする課題】
【０００４】
しかし、複写シートによって複写された部分はかすれているなどして見難い場合が多く、複写機又は複合機でコピーした場合は更に見難くなる可能性が高いという問題がある。しかも、上述した特許文献１の装置を用いた場合であっても、問題が改善される可能性は低い。例えば文字に適した画像処理を行った場合、かすれている部分は背景の模様又はノイズと認識されて消去されるおそれがある。このように、複写シートによって複写された部分は、複写機又は複合機で良好にコピーすることが困難という問題がある。
【０００５】
本発明は斯かる事情に鑑みてなされたものであり、受付けた画像が複写画像であるか否かを判定する判定手段と、複写画像に対する処理条件を記憶する処理条件記憶部とを備え、受付けた画像が複写画像であると判定手段が判定した場合、処理条件記憶部に記憶されている処理条件に応じた処理を行うように構成したことにより、複写画像に対して所定の処理を自動的に行うことができる画像処理装置を提供することを目的とする。
【０００６】
また、本発明は、複写画像は伝票の画像であり、伝票の画像の判定条件を記憶する判定条件記憶部を備え、該判定条件記憶部に記憶されている判定条件に基づいて、受付けた画像が伝票の画像であるか否かを判定するように構成したことにより、伝票の画像を識別することができる画像処理装置を提供することを他の目的とする。
【０００７】
また、本発明は、前記処理条件記憶部には、伝票の画像内の処理領域を指定する指定情報、及び、前記処理領域に対応する処理条件が記憶されており、伝票の画像内の処理領域に、対応する処理条件に基づく処理を行うように構成したことにより、複写シートによって複写された部分に対して、他の部分に影響を与えずに所定の処理を行うことができる画像処理装置を提供することを他の目的とする。
【０００８】
また、本発明は、前記処理条件は濃度調整処理の処理条件を含んでおり、前記処理条件に応じた濃度調整処理を行うように構成したことにより、複写シートによって複写された部分の濃度を増加させることができる画像処理装置を提供することを他の目的とする。
【０００９】
また、本発明は、シートに画像を記録する画像記録手段を備え、前記処理条件はシートへの画像記録処理の処理条件を含んでおり、前記処理条件に応じた画像記録処理を行うように構成したことにより、複写画像を所定サイズのシートに記録したり、複写画像を所定サイズに拡大又は縮小したり、複写画像をシート内の所定位置に記録することができる画像処理装置を提供することを他の目的とする。
【課題を解決するための手段】
【００１０】
本発明に係る画像処理装置は、受付けた画像に処理を行う画像処理装置において、受付けた画像が、表面側に対する記入内容を裏面側へ複写する複写シートによって複写された部分を有する画像であるか否かを判定する判定手段と、複写シートによって複写された部分を有する画像に対する処理条件を記憶する処理条件記憶部とを備え、受付けた画像が複写シートによって複写された部分を有する画像であると判定手段が判定した場合、処理条件記憶部に記憶されている処理条件に応じた処理を行うように構成されていることを特徴とする。
【００１１】
本発明に係る画像処理装置は、複写シートによって複写された部分を有する画像は伝票の画像であり、伝票の画像の判定条件を記憶する判定条件記憶部を備え、前記判定手段は、判定条件記憶部に記憶されている判定条件に基づいて、受付けた画像が伝票の画像であるか否かを判定するように構成してあることを特徴とする。
【００１２】
本発明に係る画像処理装置は、前記処理条件記憶部には、伝票の画像内の処理領域を指定する指定情報、及び、前記処理領域に対応する処理条件が記憶されており、伝票の画像内の処理領域に、対応する処理条件に基づく処理を行うように構成してあることを特徴とする。
【００１３】
本発明に係る画像処理装置は、前記処理条件は、濃度調整処理の処理条件を含んでおり、前記処理条件に応じた濃度調整処理を行うように構成してあることを特徴とする。
【００１４】
本発明に係る画像処理装置は、シートに画像を記録する画像記録手段を備え、前記処理条件は、シートへの画像記録処理の処理条件を含んでおり、前記処理条件に応じた画像記録処理を行うように構成してあることを特徴とする。
【００１５】
本発明においては、受付けた画像が、表面側の記入内容を裏面側へ複写する複写シートによって複写された部分を有する複写画像であると判定手段が判定した場合、処理条件記憶部に記憶されている、複写画像に対する処理条件に応じた処理を行うため、複写画像に対しては特定の処理条件で処理を行うことができる。複写画像においては、複写シートによって複写された部分は文字がかすれるなどして見難くなっている場合が多く、処理条件記憶部には例えば文字のかすれを補正する処理条件を記憶しておく。これにより、複写シートによって複写された部分の文字のかすれなどを、自動的に補正することができる。
【００１６】
本発明においては、複写画像は伝票の画像であり、前記判定手段は、判定条件記憶部に記憶されている、伝票の画像の判定条件に基づいて、受付けた画像が伝票の画像であるか否かを判定する。伝票のフォーマットは予め決められている場合が多いため、伝票の特徴を予め判定条件記憶部に記憶しておくことにより、比較的容易に伝票の画像を識別できる。
【００１７】
本発明においては、前記処理条件記憶部には、伝票の画像内の処理領域を指定する指定情報、及び、前記処理領域に対応する処理条件が記憶されており、伝票の画像内の処理領域に、対応する処理条件に基づく処理を行う。例えば、複写シートによって複写される部分は伝票の画像内でほぼ固定されているため、前記部分の座標などを予め指定しておくことにより、伝票の画像内のかすれている部分に対して所定の処理を行うことができる。また、伝票の画像内の前記部分以外に影響を与えることなく、前記部分に対して所定の処理を行うことができる。
【００１８】
本発明においては、前記処理条件は、濃度調整処理の処理条件を含んでおり、前記処理条件に応じた濃度調整処理を行う。例えば、複写シートによって複写された部分の濃度を増加させることができる。
【００１９】
本発明においては、シートに画像を記録する画像記録手段を備え、前記処理条件はシートへの画像記録処理の処理条件を含んでおり、前記処理条件に応じた画像記録処理を行う。例えば、伝票の画像を所定サイズのシートに記録したり、伝票の画像を所定サイズに拡大又は縮小したり、伝票の画像をシート内の所定位置に記録することができる。
【発明の効果】
【００２０】
本発明によれば、複写画像に対して、所定の処理を自動的に行うことができる。
【００２１】
本発明によれば、伝票の画像を識別することができる。
【００２２】
本発明によれば、複写シートによって複写された部分に対して、他の部分に影響を与えずに所定の処理を行うことができる。
【００２３】
本発明によれば、複写シートによって複写された部分の濃度を、増加させることができる。
【００２４】
本発明によれば、複写画像を所定サイズのシートに記録したり、複写画像を所定サイズに拡大又は縮小したり、複写画像をシート内の所定位置に記録することができる。
【発明を実施するための最良の形態】
【００２５】
以下、本発明をその実施の形態を示す図面に基づいて具体的に説明する。図１は、本発明に係る画像処理装置（複合機）を含む画像処理システムの例を示すブロック図である。複合機（画像処理装置）１は、例えば社内に構築されているＬＡＮ（Local Area Network）などの内部ネットワークＮ１と接続されている。内部ネットワークＮ１には、複数のパーソナルコンピュータ（以下、パソコン）３２が接続されている。また、内部ネットワークＮ１は、例えば社外に構築されているインターネットなどの外部ネットワークＮ２と接続されている。外部ネットワークＮ２には、インターネットファックス機（以下、ｉＦＡＸ機）３４及びパソコン３２などが接続されている。
【００２６】
複合機１は、ＣＣＤ（Charge Coupled Device）２ａを有するイメージスキャナなどの画像読み取り部２、入力キーなどの入力部４ａと液晶表示パネルなどの表示部４ｂとを有する操作部４、画像データを記憶するＤＲＡＭ（Dynamic Random Access Memory）などのメモリ６ａとシートに画像を形成する印字部（ＬＳＵ：Laser Scanning Unit）６ｂとを有する画像形成部（画像記録手段）６、内部ネットワークＮ１との通信制御を行うＬＡＮインタフェイスなどの通信部１０、電話回線網Ｎ３に接続されたＦＡＸモデム１１、画像読み取り部２又は通信部１０から受付けた画像データを記憶するハードディスクドライブ（以下、ハードディスクという）１２、メモリカードなどの外部メモリがセットされるメモリスロット１５、メモリ６ａに読み出された画像データに画像処理を行う画像処理部１３、制御プログラム及び各種設定などを記憶するフラッシュメモリなどの管理部１４、及び、制御プログラムに従って装置内の上述した各構成部を制御するＣＰＵ（Central Processing Unit）などの制御部８を備える。
【００２７】
複合機１の各構成部は、制御部８によって制御され、例えばタッチパネル又は入力キーなどの入力部４ａから操作指示を受付け、受付けた操作指示に応じた処理を実行したり、複合機１の動作状態に関する情報などを表示部４ｂに表示して、必要な情報を使用者に報知することが可能である。また、管理部１４には、各構成部の動作設定などに関する情報が記憶されており、制御部８は前記情報に基づいて複合機１全体の動作を制御する。本実施の形態では、複合機１は、複写機、プリンタ、ネットワークスキャナ及びファクシミリとして動作することが可能である。
【００２８】
操作部４で複写機能の選択を受付けるなどして、複合機１を複写機として使用する場合、制御部８の制御によって、画像読み取り部２にセットされた原稿を電子的に読み取り、読み取った画像データをメモリ６ａを介してハードディスク１２に記憶し、印字部６ｂの印字タイミングに合わせて、画像データがメモリ６ａを介してハードディスク１２から印字部６ｂへと送られる。
【００２９】
内部ネットワークＮ１に接続されたパソコン３２から送信された画像データを通信部１０で受信するなどして、複合機１をプリンタとして使用する場合、制御部８の制御によって、受信した画像データはメモリ６ａを介してハードディスク１２に送られ、上述した複写機として使用する場合と同様にして印字部６ｂに送られる。
【００３０】
操作部４でデータ送信の選択を受付けるなどして、複合機１をネットワークスキャナとして使用する場合、制御部８の制御によって、画像読み取り部２にセットされた原稿を電子的に読み取り、読み取った原稿の画像データをメモリ６ａを介してハードディスク１２に記憶した後、操作部４で受付けた送信先へ通信部１０から送信する。画像データの送信先としては、内部ネットワークＮ１内のパソコン３２、外部ネットワークＮ２のパソコン３２、ｉＦＡＸ機３４を指定することが可能である。また、送信先にＦＡＸ番号を指定して、ＦＡＸモデム１１から電話回線網Ｎ３を介して外部のＦＡＸ機３８へ画像データを送信することも可能である。また、メモリスロット１５へデータを送り、外部メモリにデータを記憶することも可能である。
【００３１】
画像処理部１３及び制御部８は、画像読み取り部２などから受付けた読取画像が、表面側の記入内容を裏面側へ複写する複写シートによって複写された部分を有する複写画像であるか否かを判定する判定手段として動作する。また、管理部１４は、複写画像に対する処理条件を記憶する処理条件記憶部として動作する。制御部８は、読取画像が複写画像であると判定した場合、管理部１４に記憶されている処理条件に応じた処理を行うように画像処理部１３及び画像形成部６などを制御する。
【００３２】
本実施の形態では、複写画像は伝票の画像（以下、伝票画像という）であり、管理部１４は伝票画像の判定条件を記憶する判定条件記憶部として動作し、画像処理部１３及び制御部８は、管理部１４に記憶されている判定条件に基づいて、読取画像が伝票画像であるか否かを判定する。管理部１４には、伝票画像内の処理領域を指定する座標情報（指定情報）、及び、前記処理領域に対応する処理条件が記憶されており、制御部８は、伝票画像内の処理領域に、対応する処理条件に基づく処理を行うように画像処理部１３又は画像形成部６などを制御する。
【００３３】
例えば、管理部１４に記憶されている処理条件は、濃度調整処理の処理条件を含んでおり、制御部８は、処理条件に応じた濃度調整処理を行うように画像処理部１３などを制御する。また、前記処理条件は、シートへの画像記録処理の処理条件を含んでおり、制御部８は、処理条件に応じた画像記録処理を行うように画像形成部６などを制御する。
【００３４】
図２及び図３は、伝票の例を示す概略図である。図２に示すように、伝票４０は３枚の伝票用紙４１，４２，４３が重なっており、例えば左端が綴じられている。また、図３（ａ）は１枚目の伝票用紙４１、図３（ｂ）は２枚目の伝票用紙４２、図３（ｃ）は３枚目の伝票用紙４３を夫々個別に図示している。図２及び図３に示すように、各伝票用紙４１，４２，４３の右上端には、何枚目かを示す数字（以下、頁数という）１，２，３が記載されている。また、各伝票用紙４１，４２，４３の左上端には伝票名が記載されている。なお、伝票名は、各頁とも同じ、又は、各頁毎に異なっている。伝票用紙の１枚目４１及び２枚目４２には、カーボン紙又は感圧紙などの複写シートが用いられており、１枚目４１に記入した内容は、２枚目４２及び３枚目４３に複写される。
【００３５】
図４は、伝票画像内の処理領域の例を示す概略図である。図４では３枚目の伝票用紙４３を図示しており、以下３枚目の伝票用紙４３を例にして説明を行う。伝票用紙４３の左上端の伝票名部分には領域Ａ１が設定され、右上端の頁数部分には領域Ａ２が設定されている。画像処理部１３は、制御部８からの指示により、読取画像のサイズを標準サイズに変更し、左上部分の領域Ａ１及び右上部分の領域Ａ２に対して文字認識を行い、文字認識結果を制御部８に送る。制御部８は、受取った文字認識結果から、読取画像が伝票であるか否かを判定できると共に、伝票名及び頁数を取得することができる。ここで、処理対象の伝票に関する領域Ａ１，Ａ２の座標情報、伝票名及び頁数などの判定条件は判定情報として管理部１４に予め記憶されている。図５（ａ）は判定情報の例を示す図である。図５（ａ）の例においては、領域は矩形型であるため、領域の座標は対角の２頂点で表している。なお、領域の座標は領域の形状に応じて任意に設定することが可能である。
【００３６】
また、図４の例では、伝票用紙４３内に領域Ｂ１，Ｂ２，Ｂ３が設定されている。領域Ｂ１は、１枚目の伝票用紙４１に記入された文字が複写シートによって複写される部分であり、領域Ｂ１部分は薄い又はかすれた文字の場合が多い。そのため、コピー時などに文字が所定レベル濃くなるように、領域Ｂ１に対して濃度調整を行う。領域Ｂ２は、注意事項などが記載された部分であり、例えば赤色で記載されている。そのため、コピー（白黒印刷）時にも注意事項が目立つように、領域Ｂ２に対して網掛処理を行う。領域Ｂ３は、機密事項などが記載された部分である。そのため、コピー時に機密事項が出力されないように、領域Ｂ３に対して白塗処理、黒塗処理、又は削除処理を行う。ここで、処理対象の伝票に関する領域Ｂ１，Ｂ２，Ｂ３の座標情報（指定情報）、各領域に行う処理条件などは処理情報として管理部１４に予め記憶されている。図５（ｂ）は処理情報の例を示す図である。図５（ｂ）の例においては、領域は矩形型であるため、領域の座標は対角の２頂点で表している。なお、領域の座標は領域の形状に応じて任意に設定することが可能である。また、３枚目の伝票用紙４３を記録するシートのサイズとして、Ａ４が設定されている。
【００３７】
図４及び図５（ｂ）では３枚目の伝票用紙４３を例にして説明したが、１枚目及び２枚目の伝票用紙４１，４２に対しても、３枚目の伝票用紙４３と同様に判定情報及び処理情報が予め管理部１４に記憶されている。制御部８は、取得した伝票名及び頁数に対応する処理情報に基づいて、画像処理部１３を制御し、例えば領域Ｂ１に対する濃度調整処理、領域Ｂ２に対する網掛処理、及び領域Ｂ３に対する白塗処理を行わせる。また、制御部８は、画像形成部６を制御して、処理が済んだ読取画像をＡ４のシートに記録させる。上述した判定情報及び処理情報は、取り扱う伝票に基づいて、予め管理部１４に記憶されている。
【００３８】
図６は読取画像の処理手順の例を示すフローチャートである。画像読み取り部２で原稿の画像読取を行い（Ｓ１０）、メモリ６ａに読取画像が記憶された場合、制御部８は画像処理部１３を制御して、伝票画像であるか否かの画像判定を行う（Ｓ１２）。例えば制御部８は、管理部１４に記憶されている判定情報に含まれる座標（図５（ａ）参照）を画像処理部１３に送り、前記座標に対応する領域の文字認識を行わせる。画像処理部１３は、読取画像を標準サイズに変更し、制御部８から受取った座標に対応する領域部分の文字認識を行い、文字認識結果を制御部８に送る。制御部８は、受取った文字認識結果に基づいて読取画像が伝票画像であるか否かを判定する。例えば文字認識結果が判定情報に登録されている伝票名及び頁数の場合は伝票と判定する。伝票画像でない場合（Ｓ１４：ＮＯ）、制御部８の制御により、画像形成部６を制御して複写処理を行ったり（Ｓ２２：ＹＥＳ、Ｓ２４）、通信部１０を制御してデータの送信処理を行う（Ｓ２２：ＮＯ、Ｓ２６）。
【００３９】
伝票画像の場合（Ｓ１４：ＹＥＳ）、制御部８は、管理部１４に記憶されている処理情報（処理領域及び処理条件）を確認し（Ｓ１６）、画像処理部１３を制御して、画像処理を行わせ（Ｓ１８）、処理が済んだ画像を、画像形成部６を制御してシートに記録させる（Ｓ２０）。例えば図４に示したように、画像処理部１３に、読取画像の領域Ｂ１の濃度増加、領域Ｂ２の網掛、及び領域Ｂ３の白塗などの処理を行わせ、画像形成部６に、処理が済んだ画像のＡ４シートへの記録を行わせる。領域Ｂ１の濃度を増加させているため、複写シートによって複写された部分を良好にコピーすることができる。なお、例えばパソコン３２に接続されたイメージスキャナで読取った原稿画像を、通信部１０がパソコン３２から受信した場合も、読み取り部２から受付けた読取画像と同様に処理することが可能である。
【００４０】
上述した実施の形態においては、判定領域（領域Ａ１，Ａ２）を座標で指定しているが、例えば原稿の色（紙の色）に基づいて伝票の頁数を判定したり、原稿の薄さ（薄い場合は裏側が透けて見える）に基づいて伝票の頁数を判定することも可能である。また、伝票画像内の文字の配置パターンに基づいて頁数を判定することも可能である。このように、判定情報として、伝票の特徴に係る任意の条件を用いることが可能である。なお、読取画像が伝票であることを操作部４で受付けることも勿論可能である。
【００４１】
また、上述した実施の形態においては、処理対象の領域（領域Ｂ１，Ｂ２，Ｂ３）を座標で指定しているが、例えば赤色で記載されている領域Ｂ２部分は、色に基づいて領域を特定することも可能である。また、例えば複写シートによって複写された領域Ｂ１部分は、文字のかすれ又は色（例えば青色）に基づいて領域を特定することも可能である。さらに、例えば機密事項が記載されている領域Ｂ３部分は、機密部分に係る特定マーク又は特定文字に基づいて領域を特定することが可能である。
【００４２】
また、上述した実施の形態においては、画像を記録するシートのサイズを指定しているが、例えば画像を記録するシートの枚数を指定したり、シート内の画像記録位置を指定したり、画像を送信するファクシミリ番号（送信先）を指定したり、画像を送信するコンピュータのアドレス（フォルダ）を指定することも可能である。
【００４３】
図７は処理情報の他の例を示す図である。制御部８は、読取画像内のかすれ部分、赤色部分、及び重要部分の特定及び認識を行い、また、対応する処理（濃度増加、網掛、及び白塗）を行うように画像処理部１３を制御する。また、制御部８は、例えば読取画像をＡ４のシートに２枚印刷するように画像形成部６を制御したり、例えば処理情報の送信先又はフォルダに読取画像を送信するように通信部１０を制御する。なお、伝票画像に対する処理を操作部４で受付けることも可能である。
【００４４】
上述した実施の形態においては、複写シートによって複写された部分を含む複写画像の例として伝票画像を例にして説明したが、複写画像は伝票画像に限定はされず、例えば申込用紙の画像など複写シートを用いて記入内容が複写された部分を有する任意の画像とすることが可能である。
【図面の簡単な説明】
【００４５】
【図１】本発明に係る画像処理装置（複合機）を含む画像処理システムの例を示すブロック図である。
【図２】伝票の例を示す概略図である。
【図３】伝票の例を示す概略図である。
【図４】伝票画像内の処理領域の例を示す概略図である。
【図５】（ａ）は判定情報の例を示す図であり、（ｂ）は処理情報の例を示す図である。
【図６】読取画像の処理手順の例を示すフローチャートである。
【図７】処理情報の他の例を示す図である。
【符号の説明】
【００４６】
１  複合機
２  画像読み取り部
４  操作部
６  画像形成部
８  制御部
１０  通信部
１１  ＦＡＸモデム
１２  ハードディスク
１３  画像処理部
１４  管理部
Ｎ１  内部ネットワーク
Ｎ２  外部ネットワーク
Ｎ３  電話回線網
【図１】
2006303645.tif 000003
【図２】
2006303645.tif 000004
【図３】
2006303645.tif 000005
【図４】
2006303645.tif 000006
【図５】
2006303645.tif 000007
【図６】
2006303645.tif 000008
【図７】
2006303645.tif 000009